(57)【要約】【課題】Ｈ．ｂｌａｎｋｉｎｇ区間およびＶ．ｂｌａｎｋｉｎｇ区間をフォーマットとして有する映像信号のＡｃｔｉｖｅ  ｖｉｄｅｏ領域を、より確実に送信器から受信器にその伝送路を介して伝送することが可能な技術が提供されることが望まれる。【解決手段】水平ブランキング区間と垂直ブランキング区間とを有するフォーマットの映像信号から前記水平ブランキング区間を低減して水平ブランキング区間低減信号を得る水平ブランキング区間低減部と、前記水平ブランキング区間低減信号を含んだフレームを低減信号フレームとして生成する低減信号フレーム生成部と、を備える、フレーム生成装置が提供される。【選択図】図１
2017077745.tif 000002
【特許請求の範囲】
【請求項１】
水平ブランキング区間と垂直ブランキング区間とを有するフォーマットの映像信号から前記水平ブランキング区間を低減して水平ブランキング区間低減信号を得る水平ブランキング区間低減部と、
前記水平ブランキング区間低減信号を含んだフレームを低減信号フレームとして生成する低減信号フレーム生成部と、
を備える、フレーム生成装置。
【請求項２】
前記水平ブランキング区間低減部は、前記水平ブランキング区間の所定の削除領域を削除することにより前記水平ブランキング区間を低減する、
請求項１に記載のフレーム生成装置。
【請求項３】
前記削除領域の垂直方向ライン数は、前記映像信号の垂直方向ライン数と同数である、
請求項２に記載のフレーム生成装置。
【請求項４】
前記フレーム生成装置は、
前記削除領域の水平方向画素数を水平ブランキング削除量情報として含んだフレームを削除情報フレームとして生成する削除情報フレーム生成部を備える、
請求項２に記載のフレーム生成装置。
【請求項５】
前記削除領域の水平方向画素数は、前記映像信号の水平方向画素数の約数を分母とする分数のうち、前記低減信号フレームが送信器から受信器に送信される伝送路の伝送容量を前記映像信号の伝送レートで除して得られる除算結果よりも小さい１または複数の有理数のいずれか一つである特定の有理数を、前記映像信号の水平方向画素数に乗じて得られる乗算結果を、前記映像信号の水平方向画素数から減じて得られる画素数である、
請求項２に記載のフレーム生成装置。
【請求項６】
前記特定の有理数は、前記分母それぞれにおいて前記除算結果に最も近い１または複数の有理数のいずれか一つである、
請求項５に記載のフレーム生成装置。
【請求項７】
前記特定の有理数は、前記１または複数の有理数のうち、１画素あたりのビット数と前記映像信号の水平方向画素数との乗算結果に対して乗じて得られる値が８の倍数となる有理数である、
請求項５に記載のフレーム生成装置。
【請求項８】
前記特定の有理数は、前記１または複数の有理数のうち、１画素あたりのビット数と前記映像信号の水平方向画素数との乗算結果に対して乗じて得られる値の約数が最も多い有理数である、
請求項５に記載のフレーム生成装置。
【請求項９】
水平ブランキング区間と垂直ブランキング区間とを有するフォーマットの映像信号から前記水平ブランキング区間を低減して水平ブランキング区間低減信号を得ることと、
前記水平ブランキング区間低減信号を含んだフレームを低減信号フレームとして生成することと、
を含む、フレーム生成方法。
【請求項１０】
映像信号から水平ブランキング区間が低減された水平ブランキング区間低減信号を含む低減信号フレームから水平ブランキング区間低減信号を抽出する低減信号抽出部と、
前記水平ブランキング区間低減信号に対して前記水平ブランキング区間を復元する処理を行って前記映像信号を得る水平ブランキング区間復元部と、
を備える、信号抽出装置。
【請求項１１】
前記水平ブランキング区間復元部は、前記水平ブランキング区間における削除領域を復元することにより前記水平ブランキング区間を復元する、
請求項１０に記載の信号抽出装置。
【請求項１２】
前記削除領域の垂直方向ライン数は、前記映像信号の垂直方向ライン数と同数である、
請求項１１に記載の信号抽出装置。
【請求項１３】
前記信号抽出装置は、
前記水平ブランキング区間における前記削除領域の水平方向画素数を水平ブランキング削除量情報として含んだ削除情報フレームから前記水平ブランキング削除量情報を抽出する削除情報抽出部を備える、
請求項１１に記載の信号抽出装置。
【請求項１４】
前記削除領域の水平方向画素数は、前記映像信号の水平方向画素数の約数を分母とする分数のうち、前記低減信号フレームが送信器から受信器に送信される伝送路の伝送容量を前記映像信号の伝送レートで除して得られる除算結果よりも小さい１または複数の有理数のいずれか一つである特定の有理数を、前記映像信号の水平方向画素数に乗じて得られる乗算結果を、前記映像信号の水平方向画素数から減じて得られる画素数である、
請求項１１に記載の信号抽出装置。
【請求項１５】
前記特定の有理数は、前記分母それぞれにおいて前記除算結果に最も近い１または複数の有理数のいずれか一つである、
請求項１４に記載の信号抽出装置。
【請求項１６】
前記特定の有理数は、前記１または複数の有理数のうち、１画素あたりのビット数と前記映像信号の水平方向画素数との乗算結果に対して乗じて得られる値の約数が最も多い有理数である、
請求項１４に記載の信号抽出装置。
【請求項１７】
前記特定の有理数は、前記１または複数の有理数のうち、１画素あたりのビット数と前記映像信号の水平方向画素数との乗算結果に対して乗じて得られる値の約数が最も多い有理数である、
請求項１４に記載の信号抽出装置。
【請求項１８】
映像信号から水平ブランキング区間が低減された水平ブランキング区間低減信号を含む低減信号フレームから水平ブランキング区間低減信号を抽出することと、
前記水平ブランキング区間低減信号に対して前記水平ブランキング区間を復元する処理を行って前記映像信号を得ることと、
を含む、信号抽出方法。
【請求項１９】
水平ブランキング区間と垂直ブランキング区間とを有するフォーマットの映像信号から前記水平ブランキング区間を低減して水平ブランキング区間低減信号を得る水平ブランキング区間低減部と、
前記水平ブランキング区間低減信号を含んだフレームを低減信号フレームとして生成する低減信号フレーム生成部と、
前記低減信号フレームを送信する送信部と、を備える、送信器と、
前記低減信号フレームを受信する受信部と、
前記低減信号フレームから水平ブランキング区間低減信号を抽出する低減信号抽出部と、
前記水平ブランキング区間低減信号に対して前記水平ブランキング区間を復元する処理を行って前記映像信号を得る水平ブランキング区間復元部と、
を備える、受信器と、を有する、画像伝送システム。
【請求項２０】
水平ブランキング区間と垂直ブランキング区間とを有するフォーマットの映像信号から前記水平ブランキング区間を低減して水平ブランキング区間低減信号を得ることと、
前記水平ブランキング区間低減信号を含んだフレームを低減信号フレームとして生成することと、
受信器に前記低減信号フレームを送信することと、
送信器から前記低減信号フレームを受信することと、
前記低減信号フレームから水平ブランキング区間低減信号を抽出することと、
前記水平ブランキング区間低減信号に対して前記水平ブランキング区間を復元する処理を行って前記映像信号を得ることと、
を含む、画像伝送方法。
【発明の詳細な説明】
【技術分野】
【０００１】
本開示は、フレーム生成装置、フレーム生成方法、信号抽出装置、信号抽出方法、画像伝送システムおよび画像伝送方法に関する。
【背景技術】
【０００２】
近年、映像信号をデジタル的に伝送するための手法として、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）およびｄｉｓｐｌａｙｐｏｒｔが規格化され、一般的に普及している。【０００３】
ＨＤＭＩおよびｄｉｓｐｌａｙｐｏｒｔにおいて、送信器は、ＣＲＴ（Ｃａｔｈｏｄｅ  Ｒａｙ  Ｔｕｂｅ）およびＬＣＤ（ｌｉｑｕｉｄ  ｃｒｙｓｔａｌ  ｄｉｓｐｌａｙ）などの表示デバイスの画面左上端から右上端に向かって順次に１ライン分の画素を受信器に伝送する。そして、送信器は、１ライン分の画素を伝送し終わると、一つ下のラインの画素を左端から右端に向かって順次に受信器に伝送する動作を繰り返す。【０００４】
そして、送信器は、最下端の１ライン分の画素を伝送し終わると、再び画面左上端の画素に戻って、受信器への画素伝送を続けることによって、映像信号を受信器に伝送する。このとき、送信器から伝送される映像信号には、Ａｃｔｉｖｅ  ｖｉｄｅｏ領域と次のＡｃｔｉｖｅ  ｖｉｄｅｏ領域との間に、水平ブランキング区間（以下、「Ｈ．ｂｌａｎｋｉｎｇ区間」とも言う。）、および、垂直ブランキング区間（以下、「Ｖ．ｂｌａｎｋｉｎｇ区間」とも言う。）が含まれる（例えば、特許文献１参照。）。
【先行技術文献】
【特許文献】
【０００５】
【特許文献１】特開２０１３−９０１１３号公報
【発明の概要】
【発明が解決しようとする課題】
【０００６】
しかし、Ｈ．ｂｌａｎｋｉｎｇ区間およびＶ．ｂｌａｎｋｉｎｇ区間をフォーマットとして有する映像信号のＡｃｔｉｖｅ  ｖｉｄｅｏ領域を、より確実に送信器から受信器にその伝送路を介して伝送することが可能な技術が提供されることが望まれる。
【課題を解決するための手段】
【０００７】
本開示によれば、水平ブランキング区間と垂直ブランキング区間とを有するフォーマットの映像信号から前記水平ブランキング区間を低減して水平ブランキング区間低減信号を得る水平ブランキング区間低減部と、前記水平ブランキング区間低減信号を含んだフレームを低減信号フレームとして生成する低減信号フレーム生成部と、を備える、フレーム生成装置が提供される。【０００８】
本開示によれば、水平ブランキング区間と垂直ブランキング区間とを有するフォーマットの映像信号から前記水平ブランキング区間を低減して水平ブランキング区間低減信号を得ることと、前記水平ブランキング区間低減信号を含んだフレームを低減信号フレームとして生成することと、を含む、フレーム生成方法が提供される。【０００９】
本開示によれば、映像信号から水平ブランキング区間が低減された水平ブランキング区間低減信号を含む低減信号フレームから水平ブランキング区間低減信号を抽出する低減信号抽出部と、前記水平ブランキング区間低減信号に対して前記水平ブランキング区間を復元する処理を行って前記映像信号を得る水平ブランキング区間復元部と、を備える、信号抽出装置が提供される。【００１０】
本開示によれば、映像信号から水平ブランキング区間が低減された水平ブランキング区間低減信号を含む低減信号フレームから水平ブランキング区間低減信号を抽出することと、前記水平ブランキング区間低減信号に対して前記水平ブランキング区間を復元する処理を行って前記映像信号を得ることと、を含む、信号抽出方法が提供される。【００１１】
本開示によれば、水平ブランキング区間と垂直ブランキング区間とを有するフォーマットの映像信号から前記水平ブランキング区間を低減して水平ブランキング区間低減信号を得る水平ブランキング区間低減部と、前記水平ブランキング区間低減信号を含んだフレームを低減信号フレームとして生成する低減信号フレーム生成部と、前記低減信号フレームを送信する送信部と、を備える、送信器と、前記低減信号フレームを受信する受信部と、前記低減信号フレームから水平ブランキング区間低減信号を抽出する低減信号抽出部と、前記水平ブランキング区間低減信号に対して前記水平ブランキング区間を復元する処理を行って前記映像信号を得る水平ブランキング区間復元部と、を備える、受信器と、を有する、画像伝送システムが提供される。【００１２】
本開示によれば、水平ブランキング区間と垂直ブランキング区間とを有するフォーマットの映像信号から前記水平ブランキング区間を低減して水平ブランキング区間低減信号を得ることと、前記水平ブランキング区間低減信号を含んだフレームを低減信号フレームとして生成することと、受信器に前記低減信号フレームを送信することと、送信器から前記低減信号フレームを受信することと、前記低減信号フレームから水平ブランキング区間低減信号を抽出することと、前記水平ブランキング区間低減信号に対して前記水平ブランキング区間を復元する処理を行って前記映像信号を得ることと、を含む、画像伝送方法が提供される。
【発明の効果】
【００１３】
以上説明したように本開示によれば、Ｈ．ｂｌａｎｋｉｎｇ区間およびＶ．ｂｌａｎｋｉｎｇ区間をフォーマットとして有する映像信号のＡｃｔｉｖｅ  ｖｉｄｅｏ領域を、より確実に送信器から受信器にその伝送路を介して伝送することが可能な技術が提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１４】
【図１】本開示の一実施形態に係る映像信号のフォーマットを示す図である。
【図２】水平ブランキング区間低減信号のフォーマットを示す図である。
【図３】具体的な数値が適用された映像信号のフォーマットの例を示す図である。
【図４】具体的な数値が適用された水平ブランキング区間低減信号のフォーマットの例を示す図である。
【図５】画像伝送システムの構成例を示す図である。
【図６】フレームの構成例を示す図である。
【図７】水平ブランキング区間低減信号の画素伝送順を説明するための図である。
【図８】連続的に生成される複数のフレームの構成例を示す図である。
【発明を実施するための形態】
【００１５】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１６】
また、本明細書および図面において、実質的に同一の機能構成を有する複数の構成要素を、同一の符号の後に異なる数字を付して区別する。ただし、実質的に同一の機能構成を有する複数の構成要素等の各々を特に区別する必要がない場合、同一符号のみを付する。また、異なる実施形態の類似する構成要素については、同一の符号の後に異なるアルファベットを付して区別する。
【００１７】
なお、説明は以下の順序で行うものとする。
１．本実施形態の説明
１．１．背景
１．２．映像信号のフォーマット
１．３．削除領域の決定
１．４．画像伝送システムの構成例
２．むすび
【００１８】
＜１．本実施形態の説明＞
［１．１．背景］
まず、本実施形態の背景について説明する。近年、映像信号をデジタル的に伝送するための手法として、ＨＤＭＩおよびｄｉｓｐｌａｙｐｏｒｔが規格化され、一般的に普及している。ＨＤＭＩおよびｄｉｓｐｌａｙｐｏｒｔにおいて、送信器は、ＣＲＴおよびＬＣＤなどの表示デバイスの画面左上端から右上端に向かって順次に１ライン分の画素を受信器に伝送する。そして、送信器は、１ライン分の画素を伝送し終わると、一つ下のラインの画素を左端から右端に向かって順次に受信器に伝送する動作を繰り返す。
【００１９】
そして、送信器は、最下端の１ライン分の画素を伝送し終わると、再び画面左上端の画素に戻って、受信器への画素伝送を続けることによって、映像信号を受信器に伝送する。このとき、送信器から伝送される映像信号には、Ａｃｔｉｖｅ  ｖｉｄｅｏ領域と次のＡｃｔｉｖｅ  ｖｉｄｅｏ領域との間に、Ｈ．ｂｌａｎｋｉｎｇ区間、および、Ｖ．ｂｌａｎｋｉｎｇ区間が含まれる（例えば、特開２０１３−９０１１３号公報参照。）。
【００２０】
したがって、ＨＤＭＩまたはｄｉｓｐｌａｙｐｏｒｔとして求められる伝送帯域は、これらのブランキング区間を含めた伝送帯域となるため、Ａｃｔｉｖｅ  ｖｉｄｅｏ領域のみを伝送する場合と比較して、高い伝送帯域が求められる。例えば、ｆｕｌｌ  ＨＤ（Ｈｉｇｈ  Ｄｅｆｉｎｉｔｉｏｎ）と呼ばれるＣＥＡ（Ｃｏｎｓｕｍｅｒ  Ｅｌｅｃｔｒｏｎｉｃｓ  Ａｓｓｏｃｉａｔｉｏｎ）フォーマットにおいては、有効画素数が１９２０×１０８０であり、画素要素がＲＧＢであり、ＲＧＢそれぞれのビット数が１２ｂｉｔであり、フレームレートが１２０Ｈｚである。
【００２１】
また、かかるフォーマットにおいては、映像信号におけるＡｃｔｉｖｅ  ｖｉｄｅｏ領域の伝送レート（以下、「有効伝送レート」とも言う。）は約８．９５８Ｇｂｐｓであり、Ｈ．ｂｌａｎｋｉｎｇ区間およびＶ．ｂｌａｎｋｉｎｇ区間を含んだ映像信号全体の伝送レート（以下、「総伝送レート」とも言う。）は、１０．６９２Ｇｂｐｓである。
【００２２】
一方、近年高速通信網の発達により、１０ＧＨｚで動作可能な光伝送モジュールが低コストで使用できる環境が整ってきた。このような光伝送モジュールで、一般的なＮＲＺ（Ｎｏｎ  Ｒｅｔｕｒｎ  ｔｏ  Ｚｅｒｏ）変調方式を用いた伝送路では、１０Ｇｂｐｓの伝送容量を実現できる。しかしながら、１０Ｇｂｐｓの伝送容量をもつ光伝送モジュールを用いても、１本の伝送路では、総伝送量が１０．６９２Ｇｂｐｓであるｆｕｌｌ  ＨＤフォーマット信号を伝送することができない。
【００２３】
そこで、本明細書では、Ｈ．ｂｌａｎｋｉｎｇ区間およびＶ．ｂｌａｎｋｉｎｇ区間をフォーマットとして有する映像信号のＡｃｔｉｖｅ  ｖｉｄｅｏ領域を、より確実に送信器から受信器にその伝送路を介して伝送することが可能な技術を提案する。具体的には、本明細書では、映像信号からＨ．ｂｌａｎｋｉｎｇ区間を低減する手法によって、伝送路を伝送されるデータ量を抑制する手法を提案する。
【００２４】
以上、本実施形態の背景について説明した。
【００２５】
［１．２．映像信号のフォーマット］
続いて、本実施形態に係る映像信号のフォーマットについて説明する。図１は、本実施形態に係る映像信号のフォーマットを示す図である。図１に示すように、映像信号６０Ａは、Ａｃｔｉｖｅ  ｖｉｄｅｏ領域６２、Ｈ．ｂｌａｎｋｉｎｇ区間６４およびＶ．ｂｌａｎｋｉｎｇ区間６３を有しており、１画素あたりのビット数は、Ｍ［ｂｉｔ］である。
【００２６】
また、図１において、映像信号６０Ａにおける水平方向画素数（以下、「総水平画素数」とも言う。）がＴＮ［ｐｉｘｅｌ］として表されている。また、図１において、Ｈ．ｂｌａｎｋｉｎｇ区間６４における水平方向画素数がＨＢ［ｐｉｘｅｌ］として表されている。さらに、図１において、Ａｃｔｉｖｅ  ｖｉｄｅｏ領域６２における水平方向画素数（以下、「水平有効画素数」とも言う。）がＡＮ［ｐｉｘｅｌ］として表されている。
【００２７】
ここで、総水平画素数ＴＮ、Ｈ．ｂｌａｎｋｉｎｇ区間６４における水平方向画素数ＨＢ、および、水平有効画素数ＡＮそれぞれは整数であり、これらの整数は、以下の（数式１）を満たしている。
【００２８】
ＴＮ＝ＡＮ＋ＨＢ      ・・・（数式１）
【００２９】
また、図１において、映像信号６０Ａにおける垂直方向ライン数（以下、「総垂直ライン数」とも言う。）がＴＬ［ｌｉｎｅ］として表されている。また、図１において、Ｖ．ｂｌａｎｋｉｎｇ区間における垂直方向ライン数がＶＢ［ｌｉｎｅ］として表されている。さらに、図１において、Ａｃｔｉｖｅ  ｖｉｄｅｏ領域６２における垂直方向ライン数（以下、「垂直有効ライン数」とも言う。）がＡＬ［ｌｉｎｅ］として表されている。
【００３０】
ここで、総垂直ライン数ＴＬ、Ｖ．ｂｌａｎｋｉｎｇ区間における垂直方向ライン数ＶＢ、および、垂直有効ライン数ＡＬそれぞれは整数であり、これらの整数は、以下の（数式２）を満たしている。
【００３１】
ＴＬ＝ＡＬ＋ＶＢ      ・・・（数式２）
【００３２】
ここで、映像信号６０ＡのフレームレートをＦｒ［Ｈｚ］と定義すると、この映像信号全体の伝送レート（以下、「総伝送レート」とも言う。）ＶＤ（Ｖｉｄｅｏ  Ｄａｔａ  ｒａｔｅ）は、１画素あたりのビット数Ｍと総水平画素数ＴＮと総垂直ライン数ＴＬとフレームレートＦｒとの積に等しいため、以下の（数式３）に示すように表現される。
【００３３】
ＶＤ＝Ｍ×ＴＮ×ＴＬ×Ｆｒ      ・・・（数式３）
【００３４】
また、映像信号６０ＡにおけるＡｃｔｉｖｅ  ｖｉｄｅｏ領域６２の伝送レート（有効伝送レート）ＡＶＤ（Ａｃｔｉｖｅ  ｖｉｄｅｏ  ｄａｔａ  ｒａｔｅ）は、１画素あたりのビット数Ｍと水平有効画素数ＡＮと垂直有効ライン数ＡＬとフレームレートＦｒとの積に等しいため、以下の（数式４）に示すように表現される。
【００３５】
ＡＶＤ＝Ｍ×ＡＮ×ＡＬ×Ｆｒ      ・・・（数式４）
【００３６】
一方、本実施形態においては、与えられた伝送路の伝送容量ＴＣとして、総伝送レートＶＤよりも小さい場合、かつ、有効伝送レートＡＶＤよりも大きい場合が想定されるため、以下の（数式５）に示す関係が成立している。しかし、必ず（数式５）に示す関係が成立していなければならない訳ではなく、例えば、伝送路の伝送容量ＴＣが総伝送レートＶＤ以上であっても、本実施形態と同様の効果が享受され得る。
【００３７】
ＶＤ＞ＴＣ＞ＡＶＤ      ・・・（数式５）
【００３８】
以上、本実施形態に係る映像信号６０Ａのフォーマットについて説明した。
【００３９】
［１．３．削除領域の決定］
ここで、本実施形態においては、送信器が、映像信号６０ＡにおけるＨ．ｂｌａｎｋｉｎｇ区間６４を低減した水平ブランキング区間低減信号を生成し、伝送レートが伝送路の伝送容量ＴＣ以下に抑えられた水平ブランキング区間低減信号を受信器に送信する。かかる構成によれば、少なくとも映像信号６０ＡにおけるＡｃｔｉｖｅ  ｖｉｄｅｏ領域６２が伝送容量ＴＣの伝送路によって伝送される。例えば、Ｈ．ｂｌａｎｋｉｎｇ区間６４の所定の削除領域が削除されることによってＨ．ｂｌａｎｋｉｎｇ区間６４が低減される。
【００４０】
図２は、水平ブランキング区間低減信号のフォーマットを示す図である。図２に示すように、水平ブランキング区間低減信号６１Ａは、映像信号６０Ａのうち、Ｈ．ｂｌａｎｋｉｎｇ区間６４から削除領域６４２が削除され、Ｈ．ｂｌａｎｋｉｎｇ区間６４に残留領域６４１が残留した信号である。このとき、削除領域６４２は、以下に示す手順で決定され得る。なお、本実施形態においては、削除領域６４２の垂直方向ライン数は、映像信号６０Ａの垂直方向ライン数と同数であり、削除領域６４２の水平方向画素数を決定する手順を説明する。
【００４１】
また、本実施形態においては、削除領域６４２が設計者によって決定される例を説明するが、削除領域６４２は、送信器によって決定されてもよいし、受信器によって決定されてもよいし、送信器および受信器とは異なる装置（例えば、サーバなど）によって決定されてもよい。
【００４２】
（手順１）
設計者は、水平有効画素数ＡＮとＨ．ｂｌａｎｋｉｎｇ区間６４における水平方向画素数ＨＢとの和である総水平画素数ＴＮの約数群（ＨＤＥＮＯ１，ＨＤＥＮＯ２，ＨＤＥＮＯ３，・・・）を求める。
【００４３】
（手順２）
設計者は、求めた約数群をそれぞれ分母とし、それぞれの分母と任意の分子群（ＨＮＵＭＥ１，ＨＮＵＭＥ２，ＨＮＵＭＥ３，・・・）とによって作られる有理数（ＨＮＵＭＥ１／ＨＤＥＮＯ１，ＨＮＵＭＥ２／ＨＤＥＮＯ２，ＨＮＵＭＥ３／ＨＤＥＮＯ３，・・・）のうち、以下の（条件１）〜（条件３）という３つの条件を同時に満たす有理数群を求める。
【００４４】
「（条件１）ＴＣ／ＶＤより小さい。」
「（条件２）各分母について最もＴＣ／ＶＤに近い。」
「（条件３）１画素あたりのビット数Ｍと総水平画素数ＴＮとの乗算結果に対して乗じて得られる値が８の倍数（バイト単位）である。」
【００４５】
なお、条件１は、最低限Ａｃｔｉｖｅ  ｖｉｄｅｏ領域６２が伝送路を介して伝送されるために必要な条件である。条件２は、削除領域６４２を可能な限り大きくするために必要な条件である。また、条件３は、水平ブランキング区間低減信号６１Ａをバイト単位で扱えるようにするために必要な条件である。したがって、（条件１）は必須であるが、（条件２）および（条件３）は必要に応じて適用されればよい。
【００４６】
（手順３）
続いて、設計者は、（手順２）において求められた有理数群のうち、以下の（条件４）を満たす有理数を求める。
【００４７】
「（条件４）１画素あたりのビット数Ｍと総水平画素数ＴＮとの乗算結果に対して乗じて得られる値の約数が最も多い。」
【００４８】
より具体的には、設計者は、１画素あたりのビット数Ｍと総水平画素数ＴＮとの乗算結果に対して、（手順２）において求められた有理数群を乗じて得られた値を素因数分解する。そして、設計者は、素因数によって作られる約数が最も多くなる有理数（ＨＮＵＭＥ／ＨＤＥＮＯ）を求める。なお、（条件４）は、水平ブランキング区間低減信号６１Ａをパケットごとに分割する場合にパケットサイズの選択自由度を高めるために必要な条件であるため、（条件４）は必要に応じて適用されればよい。
【００４９】
（手順４）
続いて、設計者は、総水平画素数ＴＮに対して（手順３）において求められた有理数（ＨＮＵＭＥ／ＨＤＥＮＯ）を乗じることによって、水平ブランキング区間低減信号６１Ａの水平方向画素数を求める。また、設計者は、総水平画素数ＴＮから水平ブランキング区間低減信号６１Ａの水平方向画素数を減じることによって、削除領域６４２の水平方向画素数を求める。
【００５０】
続いて、図３および図４を参照しながら、本実施形態に対して具体的な数値を適用した場合を一例として説明する。図３は、具体的な数値が適用された映像信号のフォーマットの例を示す図である。また、図４は、具体的な数値が適用された水平ブランキング区間低減信号のフォーマットの例を示す図である。図３に示した映像信号６０Ｂは、ｆｕｌｌ  ＨＤと呼ばれるＣＥＡフォーマットの映像信号であり、１画素あたりのビット数が３６ｂｉｔであり、フレームレートが１２０Ｈｚである。
【００５１】
また、図３に示すように、総水平画素数が２２００画素であり、総垂直ライン数が１１２５ラインであるため、総伝送レートは、３６×２２００×１１２５×１２０＝１０．６９２［Ｇｂｐｓ］である。また、図３に示すように、水平有効画素数が１９２０画素であり、垂直有効ライン数が１０８０画素であるため、有効伝送レートは、３６×１９２０×１０８０×１２０＝８．９５８［Ｇｂｐｓ］である。設計者は、これらの数値を用いて削除領域６４２の水平方向画素数を以下の手順によって求める。
【００５２】
（手順１）
設計者は、総水平画素数である２２００の約数群を求める。より具体的には、設計者は、総水平画素数である２２００を以下の（数式６）に示すように素因数分解する。
【００５３】
２２００＝２×２×２×５×５×１１      ・・・（数式６）
【００５４】
したがって、設計者は、このように分解された素因数を利用することによって、総水平画素数である２２００の約数群を、「１，２，４，５，８，１０，１１，２０，２２，２５，４０，４４，５０，５５，８８，１００，１１０，２００，２２０，２７５，４４０，５５０，１１００」と求める。
【００５５】
（手順２）
続いて、設計者は、これらの約数群を分母とする分数のうち、伝送路の伝送容量１０［Ｇｂｐｓ］／総伝送レート１０．６９２［Ｇｂｐｓ］より小さく、各分母について伝送路の伝送容量１０［Ｇｂｐｓ］／総伝送レート１０．６９２［Ｇｂｐｓ］に最も近く、１画素あたりのビット数３６［ｂｉｔ］と総水平画素数２２００との乗算結果に乗じて得られる値が８の倍数になる有理数群を求める。設計者は、そのような有理数群を、「１０／１１，４６／５０，１０２／１１０，８２／８８，５１４／５５０」と求める。
【００５６】
（手順３）
続いて、設計者は、これらの有理数群の中から、１画素あたりのバイト数と総水平画素数との乗算結果に対して乗じて得られる値の約数が最も多い有理数を求める。具体的には、設計者は、１画素あたりのバイト数（＝３６ビット／８ビット）と総水平画素数である２２００との乗算結果に対して有理数群を乗じて得られる値を、以下の（数式７−１）〜（数式７−５）に示すように素因数分解する。
【００５７】
（１０／１１）×（３６／８）×２２００＝（２＾３）×（３＾２）×（５＾３）
・・・（数式７−１）
（４６／５０）×（３６／８）×２２００＝（２＾２）×３×１１×２３
・・・（数式７−２）
（１０２／１１０）×（３６／８）×２２００＝（２＾２）×３×５×５１
・・・（数式７−３）
（８２／８４）×（３６／８）×２２００＝（３＾２）×（５＾２）×４１
・・・（数式７−４）
（５１４／５５０）×（３６／８）×２２００＝（２＾２）×（３＾２）×２５７
・・・（数式７−５）
【００５８】
したがって、設計者は、これらの有理数群の中から、最も約数が多い有理数を１０／１１と求める。
【００５９】
（手順４）
続いて、設計者は、手順３において求められた有理数である１０／１１と総水平画素数である２２００とを乗じることによって、水平ブランキング区間低減信号６１Ｂの水平方向画素数を２０００と求める。また、設計者は、総水平画素数である２２００から水平ブランキング区間低減信号６１Ｂの水平方向画素数である２０００を減じることによって、削除領域６４２の水平方向画素数を２００と求める。
【００６０】
図４を参照すると、映像信号６０Ｂにおける削除領域６４２の水平画素数が２００として示されている。なお、伝送領域の伝送レートは、３６［ｂｉｔ］×１０／１１×２２００×１１２５×１２０＝９．７２［Ｇｂｐｓ］となるため、伝送路の伝送容量である１０［Ｇｂｐｓ］以下に抑えられることが把握される。
【００６１】
以上、映像信号６０Ｂにおける削除領域６４２の決定手順について説明した。
【００６２】
［１．４．画像伝送システムの構成例］
続いて、図５を参照しながら（適宜図１および図２参照）、上記のようにして映像信号６０ＡからＨ．ｂｌａｎｋｉｎｇ区間６４が低減された水平ブランキング区間低減信号６１Ａを伝送する画像伝送システムの構成例について説明する。図５は、本実施形態に係る画像伝送システムの構成例を示す図である。図５に示すように、画像伝送システム１は、送信器１０と、受信器２０と、映像信号発生器４０と、映像信号表示装置５０とを有する。なお、送信器１０は、「フレーム生成装置」として機能し得る。また、受信器２０は、「信号抽出装置」として機能し得る。
【００６３】
映像信号発生器４０は、映像信号６０Ａを生成する。本実施形態においては、ｆｕｌｌ  ＨＤと呼ばれるＣＥＡフォーマットの映像信号６０Ａを生成する場合を想定する。しかし、映像信号６０Ａのフォーマットはこれに限定されず、Ｈ．ｂｌａｎｋｉｎｇ区間６４とＶ．ｂｌａｎｋｉｎｇ区間６３とを有していればよい。映像信号６０Ａの伝送レートは、ＶＤ［Ｍｂｐｓ］として表される。映像信号発生器４０によって生成された映像信号６０Ａは、ケーブル４０１を介して送信器１０に送信される。
【００６４】
送信器１０と受信器２０とは、伝送路３０１によって接続されている。伝送路３０１の伝送容量はＴＣ［Ｍｂｐｓ］と表される。例えば、映像信号６０Ａの総伝送レートＶＤ＞伝送路３０１の伝送容量ＴＣという関係が成立している場合を想定する。かかる場合には、送信器１０が映像信号発生器４０から受信した映像信号６０Ａをそのまま受信器２０に伝送することができない。
【００６５】
送信器１０は、水平ブランキング区間低減部１０１と、低減信号フレーム生成部１０２と、送信部１０３と、削除情報フレーム生成部１１２と、送信部１１３とを備えている。水平ブランキング区間低減部１０１は、映像信号６０ＡからＨ．ｂｌａｎｋｉｎｇ区間６４を低減して水平ブランキング区間低減信号６１Ａを得る。より具体的には、水平ブランキング区間低減部１０１は、映像信号６０ＡからＨ．ｂｌａｎｋｉｎｇ区間６４の削除領域６４２を削除することによりＨ．ｂｌａｎｋｉｎｇ区間６４を低減する。
【００６６】
Ｈ．ｂｌａｎｋｉｎｇ区間６４が低減されると、水平ブランキング区間低減信号６１Ａの伝送レートＲＶＤ≦伝送路３０１の伝送容量ＴＣという関係が成立する。続いて、低減信号フレーム生成部１０２は、水平ブランキング区間低減信号６１Ａを含んだフレームを低減信号フレームとして生成する。ここで、フレームの構成例について説明する。
【００６７】
図６は、フレームの構成例を示す図である。図６に示すように、フレームは、フレームの区切りを識別するための情報（以下、単に「ＳＹＮＣ」とも言う。）と情報フィールドとを含んでいる。図７は、水平ブランキング区間低減信号６１Ａの画素伝送順を説明するための図である。図７に示すように、水平ブランキング区間低減信号６１Ａには、Ａｃｔｉｖｅ  ｖｉｄｅｏ領域６２とＢｌａｎｋｉｎｇ区間６５とが含まれている。Ｂｌａｎｋｉｎｇ区間６５は、Ｖ．ｂｌａｎｋｉｎｇ区間６３と残留領域６４１とを合わせた領域である。
【００６８】
ここで、低減信号フレーム生成部１０２は、水平ブランキング区間低減信号６１Ａの左上端から右上端に向かって順次に１ライン分の画素をＳＹＮＣに続く情報フィールドに設定する。そして、低減信号フレーム生成部１０２は、１ライン分の画素を情報フィールドに追加し終わると、一つ下のラインの画素を左端から右端に向かって順次に情報フィールドに追加する動作を繰り返す。そして、低減信号フレーム生成部１０２は、最下端の１ライン分の画素を情報フィールドに追加し終わると１つのフレーム生成を終了し、再び左上端の画素に戻って、次のフレームの生成を続ける。図８は、連続的に生成される複数のフレームの構成例を示す図である。
【００６９】
送信部１０３は、低減信号フレーム生成部１０２によって生成された低減信号フレームを順次に伝送路３０１を介して受信器２０に送信する。このとき、送信部１０３は、高速伝送に適した形式にすべく低減信号フレームをパラレルデータからシリアルデータに変換してから受信器２０に送信するとよい。なお、本実施形態においては、伝送路３０１が光ファイバによって構成され、送信部１０３が、レーザダイオードによって低減信号フレームを光信号に変換してから受信器２０に送信する場合を想定するが、電気信号により低減信号フレームを受信器２０に送信してもよい。
【００７０】
削除情報フレーム生成部１１２は、削除領域６４２の水平方向画素数を水平ブランキング削除量情報１１１として含んだフレームを削除情報フレームとして生成する。削除情報フレームのフォーマットは特に限定されないが、図６に示したフレーム構成と同様のフォーマットであってもよい。このとき、水平ブランキング削除量情報１１１は、削除情報フレーム生成部１１２によって情報フィールドに設定される。あるいは、削除情報フレームのフォーマットは図６に示したフレーム構成と異なっていてもよい。
【００７１】
送信部１１３は、削除情報フレーム生成部１１２によって生成された削除情報フレームを順次に伝送路３０２を介して受信器２０に送信する。このとき、送信部１１３は、高速伝送に適した形式にすべく削除情報フレームをパラレルデータからシリアルデータに変換してから受信器２０に送信するとよい。なお、本実施形態においては、伝送路３０２が光ファイバによって構成され、送信部１１３が、レーザダイオードによって削除情報フレームを光信号に変換してから受信器２０に送信する場合を想定するが、電気信号により削除情報フレームを受信器２０に送信してもよい。
【００７２】
受信部２０１は、送信器１０によって送信された低減信号フレームを、伝送路３０１を介して受信する。このとき、受信部２０１は、低減信号フレームをシリアルデータで受信した場合、ＳＹＮＣの位置を基準としてシリアルデータを送信器１０が扱うパラレルデータと同一のパラレルデータに変換する。なお、本実施形態においては、受信部２０１が、光信号として送信された低減信号フレームをフォトディテクタによって受光して電気信号に変換する場合を想定するが、電気信号によって低減信号フレームを受信してもよい。
【００７３】
低減信号抽出部２０２は、低減信号フレームから水平ブランキング区間低減信号６１Ａを抽出する。より具体的には、低減信号抽出部２０２は、低減信号フレームからフレームヘッダ（例えば、ＳＹＮＣなど）を削除することによって、低減信号フレームから水平ブランキング区間低減信号６１Ａを抽出する。低減信号抽出部２０２によって抽出された水平ブランキング区間低減信号６１Ａは、水平ブランキング区間復元部２０３に対して出力される。
【００７４】
受信部２１１は、送信器１０によって送信された削除情報フレームを、伝送路３０２を介して受信する。このとき、受信部２１１は、削除情報フレームをシリアルデータで受信した場合、ＳＹＮＣの位置を基準としてシリアルデータを送信器１０が扱うパラレルデータと同一のパラレルデータに変換する。なお、本実施形態においては、受信部２１１が、光信号として送信された削除情報フレームをフォトディテクタによって受光して電気信号に変換する場合を想定するが、電気信号によって削除情報フレームを受信してもよい。
【００７５】
削除情報抽出部２１２は、削除情報フレームから水平ブランキング削除量情報２１３を抽出する。より具体的には、削除情報抽出部２１２は、削除情報フレームからフレームヘッダ（例えば、ＳＹＮＣなど）を削除することによって、削除情報フレームから水平ブランキング削除量情報２１３を抽出する。削除情報抽出部２１２によって抽出された水平ブランキング削除量情報２１３は、水平ブランキング区間復元部２０３に対して出力される。
【００７６】
水平ブランキング区間復元部２０３は、水平ブランキング区間低減信号６０に対してＨ．ｂｌａｎｋｉｎｇ区間６４を復元する処理を行って映像信号６０Ａを得る。より具体的には、水平ブランキング区間復元部２０３は、水平ブランキング削除量情報２１３に基づいて、Ｈ．ｂｌａｎｋｉｎｇ区間６４における削除領域６４２を復元することにより、Ｈ．ｂｌａｎｋｉｎｇ区間６４を復元する処理を行って、送信器１０が扱う映像信号６０Ａと同一の映像信号６０Ａを得る。映像信号６０Ａは、映像信号表示装置５０に出力される。
【００７７】
映像信号表示装置５０は、受信器２０から出力された映像信号６０Ａを表示する。映像信号表示装置５０は、例えば、ＬＣＤ（Ｌｉｑｕｉｄ  Ｃｒｙｓｔａｌ  Ｄｉｓｐｌａｙ）であってもよいし、ＰＤＰ（Ｐｌａｓｍａ  Ｄｉｓｐｌａｙ  Ｐａｎｅｌ）であってもよいし、有機ＥＬ（Ｅｌｅｃｔｒｏ−Ｌｕｍｉｎｅｓｃｅｎｃｅ）ディスプレイであってもよいし、プロジェクタなどの表示装置であってもよいし、ホログラムの表示装置であってもよい。
【００７８】
＜２．むすび＞
以上説明したように、本開示の実施形態によれば、Ｈ．ｂｌａｎｋｉｎｇ区間６４とＶ．ｂｌａｎｋｉｎｇ区間６３とを有するフォーマットの映像信号６０ＡからＨ．ｂｌａｎｋｉｎｇ区間６４を低減して水平ブランキング区間低減信号６１Ａを得る水平ブランキング区間低減部１０１と、水平ブランキング区間低減信号を含んだフレームを低減信号フレームとして生成する低減信号フレーム生成部１０２と、を備える、受信器（フレーム生成装置）１０が提供される。
【００７９】
かかる構成によれば、Ｈ．ｂｌａｎｋｉｎｇ区間６４およびＶ．ｂｌａｎｋｉｎｇ区間６３をフォーマットとして有する映像信号６０ＡのＡｃｔｉｖｅ  ｖｉｄｅｏ領域６２を、より確実に送信器１０から受信器２０に伝送路３０１を介して伝送することが可能となる。
【００８０】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【００８１】
例えば、映像信号発生器４０、水平ブランキング区間低減部１０１、低減信号フレーム生成部１０２および削除情報フレーム生成部１１２は、別個のＩＣ（Ｉｎｔｅｇｒａｔｅｄ  Ｃｉｒｃｕｉｔ）に実装されてもよいし、いずれかの組み合わせが同一のＩＣに実装されてもよい。また、例えば、低減信号抽出部２０２、水平ブランキング区間復元部２０３および削除情報抽出部２１２は、別個のＩＣに実装されてもよいし、いずれかの組み合わせが同一のＩＣに実装されてもよい。
【００８２】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏し得る。
【００８３】
なお、以下のような構成も本開示の技術的範囲に属する。
（１）
水平ブランキング区間と垂直ブランキング区間とを有するフォーマットの映像信号から前記水平ブランキング区間を低減して水平ブランキング区間低減信号を得る水平ブランキング区間低減部と、
前記水平ブランキング区間低減信号を含んだフレームを低減信号フレームとして生成する低減信号フレーム生成部と、
を備える、フレーム生成装置。
（２）
前記水平ブランキング区間低減部は、前記水平ブランキング区間の所定の削除領域を削除することにより前記水平ブランキング区間を低減する、
前記（１）に記載のフレーム生成装置。
（３）
前記削除領域の垂直方向ライン数は、前記映像信号の垂直方向ライン数と同数である、
前記（２）に記載のフレーム生成装置。
（４）
前記フレーム生成装置は、
前記削除領域の水平方向画素数を水平ブランキング削除量情報として含んだフレームを削除情報フレームとして生成する削除情報フレーム生成部を備える、
前記（２）または（３）に記載のフレーム生成装置。
（５）
前記削除領域の水平方向画素数は、前記映像信号の水平方向画素数の約数を分母とする分数のうち、前記低減信号フレームが送信器から受信器に送信される伝送路の伝送容量を前記映像信号の伝送レートで除して得られる除算結果よりも小さい１または複数の有理数のいずれか一つである特定の有理数を、前記映像信号の水平方向画素数に乗じて得られる乗算結果を、前記映像信号の水平方向画素数から減じて得られる画素数である、
前記（２）〜（４）のいずれか一項に記載のフレーム生成装置。
（６）
前記特定の有理数は、前記分母それぞれにおいて前記除算結果に最も近い１または複数の有理数のいずれか一つである、
前記（５）に記載のフレーム生成装置。
（７）
前記特定の有理数は、前記１または複数の有理数のうち、１画素あたりのビット数と前記映像信号の水平方向画素数との乗算結果に対して乗じて得られる値が８の倍数となる有理数である、
前記（５）または（６）に記載のフレーム生成装置。
（８）
前記特定の有理数は、前記１または複数の有理数のうち、１画素あたりのビット数と前記映像信号の水平方向画素数との乗算結果に対して乗じて得られる値の約数が最も多い有理数である、
前記（５）〜（７）のいずれか一項に記載のフレーム生成装置。
（９）
水平ブランキング区間と垂直ブランキング区間とを有するフォーマットの映像信号から前記水平ブランキング区間を低減して水平ブランキング区間低減信号を得ることと、
前記水平ブランキング区間低減信号を含んだフレームを低減信号フレームとして生成することと、
を含む、フレーム生成方法。
（１０）
映像信号から水平ブランキング区間が低減された水平ブランキング区間低減信号を含む低減信号フレームから水平ブランキング区間低減信号を抽出する低減信号抽出部と、
前記水平ブランキング区間低減信号に対して前記水平ブランキング区間を復元する処理を行って前記映像信号を得る水平ブランキング区間復元部と、
を備える、信号抽出装置。
（１１）
前記水平ブランキング区間復元部は、前記水平ブランキング区間における削除領域を復元することにより前記水平ブランキング区間を復元する、
前記（１０）に記載の信号抽出装置。
（１２）
前記削除領域の垂直方向ライン数は、前記映像信号の垂直方向ライン数と同数である、
前記（１１）に記載の信号抽出装置。
（１３）
前記信号抽出装置は、
前記水平ブランキング区間における前記削除領域の水平方向画素数を水平ブランキング削除量情報として含んだ削除情報フレームから前記水平ブランキング削除量情報を抽出する削除情報抽出部を備える、
前記（１１）または（１２）に記載の信号抽出装置。
（１４）
前記削除領域の水平方向画素数は、前記映像信号の水平方向画素数の約数を分母とする分数のうち、前記低減信号フレームが送信器から受信器に送信される伝送路の伝送容量を前記映像信号の伝送レートで除して得られる除算結果よりも小さい１または複数の有理数のいずれか一つである特定の有理数を、前記映像信号の水平方向画素数に乗じて得られる乗算結果を、前記映像信号の水平方向画素数から減じて得られる画素数である、
前記（１１）〜（１３）のいずれか一項に記載の信号抽出装置。
（１５）
前記特定の有理数は、前記分母それぞれにおいて前記除算結果に最も近い１または複数の有理数のいずれか一つである、
前記（１４）に記載の信号抽出装置。
（１６）
前記特定の有理数は、前記１または複数の有理数のうち、１画素あたりのビット数と前記映像信号の水平方向画素数との乗算結果に対して乗じて得られる値の約数が最も多い有理数である、
前記（１４）または（１５）に記載の信号抽出装置。
（１７）
前記特定の有理数は、前記１または複数の有理数のうち、１画素あたりのビット数と前記映像信号の水平方向画素数との乗算結果に対して乗じて得られる値の約数が最も多い有理数である、
前記（１４）〜（１６）のいずれか一項に記載の信号抽出装置。
（１８）
映像信号から水平ブランキング区間が低減された水平ブランキング区間低減信号を含む低減信号フレームから水平ブランキング区間低減信号を抽出することと、
前記水平ブランキング区間低減信号に対して前記水平ブランキング区間を復元する処理を行って前記映像信号を得ることと、
を含む、信号抽出方法。
（１９）
水平ブランキング区間と垂直ブランキング区間とを有するフォーマットの映像信号から前記水平ブランキング区間を低減して水平ブランキング区間低減信号を得る水平ブランキング区間低減部と、
前記水平ブランキング区間低減信号を含んだフレームを低減信号フレームとして生成する低減信号フレーム生成部と、
前記低減信号フレームを送信する送信部と、を備える、送信器と、
前記低減信号フレームを受信する受信部と、
前記低減信号フレームから水平ブランキング区間低減信号を抽出する低減信号抽出部と、
前記水平ブランキング区間低減信号に対して前記水平ブランキング区間を復元する処理を行って前記映像信号を得る水平ブランキング区間復元部と、
を備える、受信器と、を有する、画像伝送システム。
（２０）
水平ブランキング区間と垂直ブランキング区間とを有するフォーマットの映像信号から前記水平ブランキング区間を低減して水平ブランキング区間低減信号を得ることと、
前記水平ブランキング区間低減信号を含んだフレームを低減信号フレームとして生成することと、
受信器に前記低減信号フレームを送信することと、
送信器から前記低減信号フレームを受信することと、
前記低減信号フレームから水平ブランキング区間低減信号を抽出することと、
前記水平ブランキング区間低減信号に対して前記水平ブランキング区間を復元する処理を行って前記映像信号を得ることと、
を含む、画像伝送方法。
【符号の説明】
【００８４】
１      画像伝送システム
１０    送信器（フレーム生成装置）
１０１  水平ブランキング区間低減部
１０２  低減信号フレーム生成部
１０３  送信部
１１１  水平ブランキング削除量情報
１１２  削除情報フレーム生成部
１１３  送信部
２０    受信器（信号抽出装置）
２０１  受信部
２０２  低減信号抽出部
２０３  水平ブランキング区間復元部
２１１  受信部
２１２  削除情報抽出部
２１３  水平ブランキング削除量情報
３０１  伝送路
３０２  伝送路
４０    映像信号発生器
５０    映像信号表示装置
６０Ａ、６０Ｂ  映像信号
６１Ａ、６１Ｂ  水平ブランキング区間低減信号
６２    ｖｉｄｅｏ領域
６３    Ｖ．ｂｌａｎｋｉｎｇ区間
６４    Ｈ．ｂｌａｎｋｉｎｇ区間
６４１  残留領域
６４２  削除領域
６５    Ｂｌａｎｋｉｎｇ区間
ＡＬ    垂直有効ライン数
ＡＮ    水平有効画素数
ＨＢ    水平方向画素数
ＴＮ    総水平画素数
ＴＬ    総垂直ライン数
ＶＢ    垂直方向ライン数
【図１】
2017077745.tif 000003
【図２】
2017077745.tif 000004
【図３】
2017077745.tif 000005
【図４】
2017077745.tif 000006
【図５】
2017077745.tif 000007
【図６】
2017077745.tif 000008
【図７】
2017077745.tif 000009
【図８】
2017077745.tif 000010
【国際調査報告】
2017077745.tif 000011
2017077745.tif 000012